【手続補正書】
【提出日】平成18年3月23日(2006.3.23)
【手続補正１】
【補正対象書類名】明細書
【補正対象項目名】特許請求の範囲
【補正方法】変更
【補正の内容】
【特許請求の範囲】
【請求項１】  ビデオ・レンダラーに対する電子的に実行可能な命令であって、当該命令が実行されると、
グラフィックス・デバイス・ドライバが前記ビデオ・レンダラーに提供することのできる画像処理動作に向けられた照会をビデオ・レンダラーからグラフィックス・デバイス・ドライバに送信する動作と、
前記グラフィックス・デバイス・ドライバが前記ビデオ・レンダラーに提供することのできる少なくとも１つの画像処理動作を示す、前記グラフィックス・デバイス・ドライバからの応答を、前記ビデオ・レンダラーで受信する動作と
を備える動作を引き起こす命令を備えることを特徴とする１つまたは複数の電子的にアクセス可能な媒体。
【請求項２】  前記グラフィックス・デバイス・ドライバは、関連付けられたグラフィックス・ハードウェアを介して前記ビデオ・レンダラーに前記少なくとも１つの画像処理動作を提供できることを特徴とする請求項１に記載の１つまたは複数の電子的にアクセス可能な媒体。
【請求項３】  前記関連付けられたグラフィックス・ハードウェアはグラフィックス・カードを備えることを特徴とする請求項２に記載の１つまたは複数の電子的にアクセス可能な媒体。
【請求項４】  前記関連付けられたグラフィックス・ハードウェアは、グラフィックス・プロセッシング・ユニット（ＧＰＵ）を備えることを特徴とする請求項２に記載の１つまたは複数の電子的にアクセス可能な媒体。
【請求項５】  前記画像処理動作はビデオ処理動作を含み、前記照会は、前記グラフィックス・デバイス・ドライバが前記ビデオ・レンダラーに提供することのできるビデオ処理動作に向けられていることを特徴とする請求項１に記載の１つまたは複数の電子的にアクセス可能な媒体。
【請求項６】  前記ビデオ処理動作は、プロセス増幅器（ＰｒｏｃＡｍｐ）制御調整、デ・インターレーシング、アスペクト・レシオ補正、色空間変換、フレーム・レート変換、垂直または水平の鏡面効果処理、およびアルファ・ブレンディングのうちの１つまたは複数を備えることを特徴とする請求項５に記載の１つまたは複数の電子的にアクセス可能な媒体。
【請求項７】  ビデオ・レンダラーに対する前記電子的に実行可能な命令であって、当該命令が実行されると、
前記グラフィックス・デバイス・ドライバが前記ビデオ・レンダラーに提供することのできる少なくとも１つの画像処理動作に関する特性能力に向けられた、前記ビデオ・レンダラーからの別の照会を、前記グラフィックス・デバイス・ドライバに送信する動作と、
前記グラフィックス・デバイス・ドライバが前記ビデオ・レンダラーに提供することのできる前記少なくとも１つの画像処理動作に関する少なくとも１つの特性能力に向けられた、前記グラフィックス・デバイス・ドライバからの別の応答を前記ビデオ・レンダラーで受信する動作と
を備えるさらなる動作を引き起こすことを特徴とする請求項１に記載の１つまたは複数の電子的にアクセス可能な媒体。
【請求項８】  ビデオ・レンダラーに対する前記電子的に実行可能な命令であって、当該命令が実行されると、
前記グラフィックス・デバイス・ドライバが前記ビデオ・レンダラーに提供することのできる前記少なくとも１つの画像処理動作に関する同時動作の画像処理動作の能力に向けられた別の照会を、前記ビデオ・レンダラーから前記グラフィックス・デバイス・ドライバに送信する動作と、
前記グラフィックス・デバイス・ドライバが前記ビデオ・レンダラーに提供することのできる前記少なくとも１つの画像処理動作に関する少なくとも１つの同時画像処理動作の能力を示す、前記グラフィックス・デバイス・ドライバからの別の応答を、前記ビデオ・レンダラーで受信する動作と
を備えるさらなる動作を引き起こすことを特徴とする請求項１に記載の１つまたは複数の電子的にアクセス可能な媒体。
【請求項９】  ビデオ・レンダラーに対する電子的に実行可能な命令であって、当該命令が実行されると、
前記グラフィックス・デバイス・ドライバが前記ビデオ・レンダラーに提供することのできる前記少なくとも１つの画像処理動作に関する特性値に向けられた別の照会を、前記ビデオ・レンダラーから前記グラフィックス・デバイス・ドライバに送信する動作と、
前記グラフィックス・デバイス・ドライバが前記ビデオ・レンダラーに提供することのできる前記少なくとも１つの画像処理動作に関する少なくとも１つの特性値を示す、前記グラフィックス・デバイス・ドライバからの別の応答を前記ビデオ・レンダラーで受信する動作と
を備えるさらなる動作を引き起こすことを特徴とする請求項１に記載の１つまたは複数の電子的にアクセス可能な媒体。
【請求項１０】  ビデオ・レンダラーに対する前記電子的に実行可能な命令の少なくとも一部は、オペレーティング・システムの少なくとも一部として構成されることを特徴とする請求項１に記載の１つまたは複数の電子的にアクセス可能な媒体。
【請求項１１】  グラフィックス・デバイス・ドライバに対する電子的に実行可能な命令であって、当該命令が実行されると、
画像処理動作が実行される際の前記グラフィックス・デバイス・ドライバの１つまたは複数の能力に関する、ビデオ・レンダラーからの問い合わせを、グラフィックス・デバイス・ドライバで受信する動作と、
画像処理動作を実行させるための前記グラフィックス・デバイス・ドライバの前記１つまたは複数の能力に関する情報を提供する応答で、前記問い合わせに対する応答を、前記グラフィックス・デバイス・ドライバから前記ビデオ・レンダラーに送信する動作と
を備える動作を引き起こす命令を備えることを特徴とする１つまたは複数の電子的にアクセス可能な媒体。
【請求項１２】  前記情報は、前記グラフィックス・デバイス・ドライバが関連付けられているグラフィックス・ハードウェアの画像処理動作能力に関する情報であることを特徴とする請求項１１に記載の１つまたは複数の電子的にアクセス可能な媒体。
【請求項１３】  前記１つまたは複数の電子的にアクセス可能な媒体は、記憶媒体と伝送媒体の少なくとも１つを備えることを特徴とする請求項１１に記載の１つまたは複数の電子的にアクセス可能な媒体。
【請求項１４】  前記１つまたは複数の能力に関する前記情報は、前記ビデオ・レンダラーに割り当てられた１つまたは複数の画像処理能力に関する情報を備えることを特徴とする請求項１１に記載の１つまたは複数の電子的にアクセス可能な媒体。
【請求項１５】  前記１つまたは複数の能力に関する前記情報は、特定の画像処理動作に関して前記ビデオ・レンダラーに使用可能な１つまたは複数の画像処理特性能力に関する情報を備えることを特徴とする請求項１１に記載の１つまたは複数の電子的にアクセス可能な媒体。
【請求項１６】  前記問い合わせを受信する前記動作で受信される前記問い合わせは前記特定の画像処理動作を指定することを特徴とする請求項１５に記載の１つまたは複数の電子的にアクセス可能な媒体。
【請求項１７】  前記１つまたは複数の能力に関する前記情報は、前記グラフィックス・デバイス・ドライバが特定の画像処理動作と同時に実行してしまうことが可能な１つまたは複数の画像処理動作に関する情報を備えることを特徴とする請求項１１に記載の１つまたは複数の電子的にアクセス可能な媒体。
【請求項１８】  前記１つまたは複数の能力に関する前記情報は、特定の画像処理動作に対して使用可能な画像処理特性能力に関する１つまたは複数の画像処理特性値に関する情報を備えることを特徴とする請求項１１に記載の１つまたは複数の電子的にアクセス可能な媒体。
【請求項１９】  １つまたは複数のビデオ・レンダラーと少なくとも１つのグラフィックス・デバイス・ドライバの間の相互作用を促進する方法であって、
前記１つまたは複数のビデオ・レンダラーの１つのビデオ・レンダラーによって、ビデオ処理能力に関して前記少なくとも１つのグラフィックス・デバイス・ドライバに、照会する動作と、
前記少なくとも１つのグラフィックス・デバイス・ドライバによって、前記少なくとも１つのグラフィックス・デバイス・ドライバが前記ビデオ・レンダラーに提供することのできるビデオ処理能力の少なくとも一部分を前記ビデオ・レンダラーに通知する動作と
を備えることを特徴とする方法。
【請求項２０】  前記少なくとも１つのグラフィックス・デバイス・ドライバが前記ビデオ・レンダラーに提供することのできるビデオ処理能力の前記少なくとも一部分は、前記少なくとも１つのグラフィックス・デバイス・ドライバから前記ビデオ・レンダラーに割り当てられるビデオ処理能力を備えることを特徴とする請求項１９に記載の方法。
【請求項２１】  電子的に実行可能な命令であって、当該命令が実行されると、請求項１９に記載の方法を実行するよう電子機器に指示する電子的に実行可能な命令を備えることを特徴とする１つまたは複数の電子的にアクセス可能な媒体。
【請求項２２】  ビデオ・レンダラーとグラフィックス・デバイス・ドライバの相互作用を促進する方法であって、
画像処理能力に関する照会を前記ビデオ・レンダラーから前記グラフィックス・デバイス・ドライバに送信する動作と、
前記ビデオ・レンダラーからの前記照会を前記グラフィックス・デバイス・ドライバで受信する動作と、
割り当てられた画像処理能力の指示を有する応答を前記グラフィックス・デバイス・ドライバから前記ビデオ・レンダラーに送信する動作と、
前記グラフィックス・デバイス・ドライバからの前記応答を前記ビデオ・レンダラーで受諾する動作と
を備えることを特徴とする方法。
【請求項２３】  照会を送信する前記動作は、表示されるべきビデオについての記述を送信する動作を含み、前記方法は、前記グラフィックス・デバイス・ドライバで、前記表示されるべきビデオの前記記述に基づいて前記割り当てられた画像処理能力を調整する動作をさらに備えることを特徴とする請求項２２に記載の方法。
【請求項２４】  前記画像処理能力はビデオ処理能力を含み、前記方法は、
ビデオ処理ストリーム・オブジェクトを開くコマンドを前記ビデオ・レンダラーから前記グラフィックス・デバイス・ドライバに送信する動作と、
前記ビデオ・レンダラーからの前記コマンドを前記グラフィックス・デバイス・ドライバで受信する動作と、
開かれたビデオ処理ストリーム・オブジェクトへのハンドルを有する応答を前記グラフィックス・デバイス・ドライバから前記ビデオ・レンダラーに送信する動作と、
前記グラフィックス・デバイス・ドライバからの前記ハンドルを有する前記応答を前記ビデオ・レンダラーで受諾する動作と
をさらに備えることを特徴とする請求項２２に記載の方法。
【請求項２５】  前記画像処理能力はビデオ処理能力を含み、
前記方法は、
ビデオ処理動作を実行するコマンドを前記ビデオ・レンダラーから前記グラフィックス・デバイス・ドライバに送信する動作と、
前記ビデオ・レンダラーからの前記コマンドを前記グラフィックス・デバイス・ドライバで受信する動作と、
前記グラフィックス・デバイス・ドライバによって前記ビデオ処理動作が実行されるのを引き起こす動作と
をさらに備えることを特徴とする請求項２２に記載の方法。
【請求項２６】  前記画像処理能力はビデオ処理能力を含み、
前記方法は、
ビデオ処理ストリーム・オブジェクトを閉じるコマンドを前記ビデオ・レンダラーから前記グラフィックス・デバイス・ドライバに送信する動作と、
前記ビデオ・レンダラーからの前記コマンドを前記グラフィックス・デバイス・ドライバで受信する動作と、
前記グラフィックス・デバイス・ドライバによって前記ビデオ処理ストリーム・オブジェクトを閉じる動作と
をさらに備えることを特徴とする請求項２２に記載の方法。
【請求項２７】  電子的に実行可能な命令であって、当該命令が実行されると、請求項２２に記載の方法を実行するよう電子機器に指示する電子的に実行可能な命令を備えることを特徴とする１つまたは複数の電子的にアクセス可能な媒体。
【請求項２８】  ビデオ・レンダラーに対する電子的に実行可能な命令であって、当該命令が実行されると、
ビデオ処理能力に関する情報をグラフィックス・デバイス・ドライバに要求する動作と、
前記ビデオ処理能力に関する情報を前記グラフィックス・デバイス・ドライバから受信する動作と
を備える動作を引き起こす命令を備えることを特徴とする１つまたは複数の電子的にアクセス可能な媒体。
【請求項２９】  ビデオ処理能力に関する前記情報は、プロセス増幅器（ＰｒｏｃＡｍｐ）制御調整、デ・インターレーシング動作、アスペクト・レシオ補正、色空間変換、フレーム・レート変換、垂直または水平の鏡面効果処理動作、およびアルファ・ブレンディング動作の１つまたは複数を備えることを特徴とする請求項２８に記載の１つまたは複数の電子的にアクセス可能な媒体。
【請求項３０】  グラフィックス・デバイス・ドライバに対する電子的に実行可能な命令であって、当該命令が実行されると、
ビデオ処理能力に関する情報に対する要求をビデオ・レンダラーから受信する動作と、
前記ビデオ処理能力に関する情報を前記ビデオ・レンダラーに通知する動作と
を備える動作を引き起こす命令を備えることを特徴とする１つまたは複数の電子的にアクセス可能な媒体。
【請求項３１】  前記グラフィックス・デバイス・ドライバに対する前記電子的に実行可能な命令は、グラフィックス・ハードウェア・デバイスの少なくとも一部に関連付けられていることを特徴とする請求項３０に記載の１つまたは複数の電子的にアクセス可能な媒体。
【請求項３２】  前記グラフィックス・ハードウェア・デバイスは前記グラフィックス・デバイス・ドライバを介して複数のビデオ処理能力を提供することができ、前記ビデオ処理能力に関する情報は、前記グラフィックス・ハードウェア・デバイスが前記グラフィックス・デバイス・ドライバを介して提供することのできる前記複数のビデオ処理能力の少なくとも一部を備えることを特徴とする請求項３１に記載の１つまたは複数の電子的にアクセス可能な媒体。
【請求項３３】  電子的に実行可能な命令であって、当該命令が実行されると、
プロセス増幅器（ＰｒｏｃＡｍｐ）能力に関する情報を要求する照会を、ビデオ・レンダラーからグラフィックス・デバイス・ドライバに対して発行する動作と、
前記グラフィックス・デバイス・ドライバからの前記ＰｒｏｃＡｍｐ能力に関して要求された情報を含む応答を前記ビデオ・レンダラーで受信する動作と
を備える動作を引き起こす命令を備えることを特徴とする１つまたは複数の電子的にアクセス可能な媒体。
【請求項３４】  前記電子的に実行可能な命令の少なくとも一部は、オペレーティング・システムの少なくとも一部として構成されることを特徴とする請求項３３に記載の１つまたは複数の電子的にアクセス可能な媒体。
【請求項３５】  前記電子的に実行可能な命令の少なくとも一部は、ビデオ・レンダラーの少なくとも一部を含むことを特徴とする請求項３３に記載の１つまたは複数の電子的にアクセス可能な媒体。
【請求項３６】  前記照会は一般的なＰｒｏｃＡｍｐ能力に関する情報をさらに要求し、前記要求された情報の前記応答は、前記ビデオ・レンダラーに割り当てられている１つまたは複数のＰｒｏｃＡｍｐ能力を示すことを特徴とする請求項３３に記載の１つまたは複数の電子的にアクセス可能な媒体。
【請求項３７】  前記照会は表示されるべきビデオについての記述を含み、前記要求された情報の前記応答は、表示されるべき前記ビデオの前記記述に基づいて前記ビデオ・レンダラーに割り当てられている１つまたは複数のＰｒｏｃＡｍｐ能力を示すことを特徴とする請求項３３に記載の１つまたは複数の電子的にアクセス可能な媒体。
【請求項３８】  前記照会はＰｒｏｃＡｍｐ特性能力に関する情報をさらに要求し、前記要求された情報の前記応答は、前記ビデオ・レンダラーに使用可能な１つまたは複数のＰｒｏｃＡｍｐ特性能力を示すことを特徴とする請求項３３に記載の１つまたは複数の電子的にアクセス可能な媒体。
【請求項３９】  前記ビデオ・レンダラーに使用可能な前記１つまたは複数のＰｒｏｃＡｍｐ特性能力は、明度、コントラスト、色相、彩度、なし、を備えるグループから選択された少なくとも１つのＰｒｏｃＡｍｐ特性能力を含むことを特徴とする請求項３８に記載の１つまたは複数の電子的にアクセス可能な媒体。
【請求項４０】  前記照会は同時ビデオ処理動作能力に関する情報をさらに要求し、前記要求された情報の前記応答は、ＰｒｏｃＡｍｐ調整と同時に実行することのできる１つまたは複数のビデオ処理動作を示すことを特徴とする請求項３３に記載の１つまたは複数の電子的にアクセス可能な媒体。
【請求項４１】  ＰｒｏｃＡｍｐ調整と同時に実行することのできる前記１つまたは複数のビデオ処理動作は、ＹＵＶ−ＲＧＢ変換動作、Ｘ伸張動作、Ｙ伸張動作、サブ長方形領域動作、アルファ・ブレンド動作、なし、を備えるグループから選択された少なくとも１つのビデオ処理動作を含むことを特徴とする請求項４０に記載の１つまたは複数の電子的にアクセス可能な媒体。
【請求項４２】  ＰｒｏｃＡｍｐ調整と同時に実行することのできる前記１つまたは複数のビデオ処理動作は、デ・インターレーシング動作、アスペクト・レシオ補正、色空間変換、フレーム・レート変換、垂直または水平の鏡面効果処理動作、アルファ・ブレンディング動作、なし、を備えるグループから選択された少なくとも１つのビデオ処理動作を含むことを特徴とする請求項４０に記載の１つまたは複数の電子的にアクセス可能な媒体。
【請求項４３】  前記照会は、ＰｒｏｃＡｍｐ特性能力および同時ビデオ処理動作能力に関する情報をさらに要求し、前記要求された情報の前記応答は、前記ビデオ・レンダラーに使用可能な１つまたは複数のＰｒｏｃＡｍｐ特性能力と、ＰｒｏｃＡｍｐ調整と同時に実行することのできる１つまたは複数のビデオ処理動作とを示すことを特徴とする請求項３３に記載の１つまたは複数の電子的にアクセス可能な媒体。
【請求項４４】  前記ビデオ・レンダラーに使用可能な前記１つまたは複数のＰｒｏｃＡｍｐ特性能力は、明度、コントラスト、色相、彩度、を備えるグループから選択された少なくとも１つのＰｒｏｃＡｍｐ特性能力を含み、ＰｒｏｃＡｍｐ調整と同時に実行することのできる前記１つまたは複数のビデオ処理動作は、ＹＵＶ−ＲＧＢ変換動作、Ｘ伸張動作、Ｙ伸張動作、サブ長方形領域動作、アルファ・ブレンド動作、なし、を備えるグループから選択された少なくとも１つのビデオ処理動作を含むことを特徴とする請求項４３に記載の１つまたは複数の電子的にアクセス可能な媒体。
【請求項４５】  前記照会は、少なくとも１つの選択されたＰｒｏｃＡｍｐ特性能力に対する値に関する情報をさらに要求し、前記要求された情報の前記応答は少なくとも１つの選択されたＰｒｏｃＡｍｐ特性能力に対する１つまたは複数の値を示すことを特徴とする請求項３３に記載の１つまたは複数の電子的にアクセス可能な媒体。
【請求項４６】  前記少なくとも１つの選択されたＰｒｏｃＡｍｐ特性能力に対する前記１つまたは複数の値は、最低、増分、最大、デフォルト、を備えるグループから選択された少なくとも１つのＰｒｏｃＡｍｐ制御特性値を含むことを特徴とする請求項４５に記載の１つまたは複数の電子的にアクセス可能な媒体。
【請求項４７】  電子的に実行可能な命令であって、当該命令が実行されると、
ＰｒｏｃＡｍｐストリーム・オブジェクトを開くコマンドを前記ビデオ・レンダラーから前記グラフィックス・デバイス・ドライバに対して発行することを備えるさらなる動作を引き起こす命令を備えることを特徴とする請求項３３に記載の１つまたは複数の電子的にアクセス可能な媒体。
【請求項４８】  電子的に実行可能な命令であって、当該命令が実行されると、
開かれたＰｒｏｃＡｍｐストリーム・オブジェクトを示すハンドルを前記グラフィックス・デバイス・ドライバから前記ビデオ・レンダラーで受信することを備えるさらなる動作を引き起こす命令を備えることを特徴とする請求項４７に記載の１つまたは複数の電子的にアクセス可能な媒体。
【請求項４９】  電子的に実行可能な命令であって、当該命令が実行されると、
ビデオでＰｒｏｃＡｍｐ調整を実行するコマンドを前記ビデオ・レンダラーから前記グラフィックス・デバイス・ドライバに対して発行することを備えるさらなる動作を引き起こす命令を備えることを特徴とする請求項３３に記載の１つまたは複数の電子的にアクセス可能な媒体。
【請求項５０】  前記コマンドは、前記ビデオに関して開かれたＰｒｏｃＡｍｐストリーム・オブジェクトに対するハンドルを含むことを特徴とする請求項４９に記載の１つまたは複数の電子的にアクセス可能な媒体。
【請求項５１】  前記コマンドはビット・ブロック転送に向けられていることを特徴とする請求項４９に記載の１つまたは複数の電子的にアクセス可能な媒体。
【請求項５２】  前記コマンドは、前記グラフィックス・デバイス・ドライバに指示して、前記ビデオについての前記ＰｒｏｃＡｍｐ調整の前記実行に伴いビット・ブロック転送を行わせることを特徴とする請求項５１に記載の１つまたは複数の電子的にアクセス可能な媒体。
【請求項５３】  前記コマンドは、前記グラフィックス・デバイス・ドライバに指示して、前記ＰｒｏｃＡｍｐ調整の前記実行に伴ってビット・ブロック転送を行わせ、表示装置のスクリーン全体に対して１つの画像で、単一ブロックとしてメモリに記憶されて前記ＰｒｏｃＡｍｐ調整後の前記ビデオのフレームを含む１つの画像を作成することを特徴とする請求項５１に記載の１つまたは複数の電子的にアクセス可能な媒体。
【請求項５４】  前記コマンドは、前記ビデオについての前記ＰｒｏｃＡｍｐ調整と同時に実行する少なくとも１つのビデオ処理動作を規定することを特徴とする請求項４９に記載の１つまたは複数の電子的にアクセス可能な媒体。
【請求項５５】  前記コマンドは、前記ビデオについての前記ＰｒｏｃＡｍｐ調整に関する少なくとも１つの制御特性値または１つの制御特性値に対する変更を規定することを特徴とする請求項４９に記載の１つまたは複数の電子的にアクセス可能な媒体。
【請求項５６】  電子的に実行可能な命令であって、当該命令が実行されると、
前記発行する動作の前に、前記ビデオについてのＰｒｏｃＡｍｐ調整を実行する要求を含む、教唆アプリケーションからの動作要求を前記ビデオ・レンダラーで受信する動作を備えるさらなる動作を引き起こす命令を備えることを特徴とする請求項４９に記載の１つまたは複数の電子的にアクセス可能な媒体。
【請求項５７】  電子的に実行可能な命令であって、当該命令が実行されると、
ＰｒｏｃＡｍｐストリーム・オブジェクトを閉じるコマンドを前記ビデオ・レンダラーから前記グラフィックス・デバイス・ドライバに対して発行する動作を備えるさらなる動作を引き起こす命令を備えることを特徴とする請求項３３に記載の１つまたは複数の電子的にアクセス可能な媒体。
【請求項５８】  照会を発行する前記動作と応答を受信する前記動作は、少なくとも一部にはグラフィックス・インターフェースとデバイス・ドライバ・インターフェースの少なくとも１つを使用して前記ビデオ・レンダラーと前記グラフィックス・デバイス・ドライバの間で前記照会と前記応答とを伝播することによって実行されることを特徴とする請求項３３に記載の１つまたは複数の電子的にアクセス可能な媒体。
【請求項５９】  電子的に実行可能な命令であって、当該命令が実行されると、
ビデオ・レンダラーからの、プロセス増幅器（ＰｒｏｃＡｍｐ）能力に関する情報を要求する、照会をグラフィックス・デバイス・ドライバで受信する動作と、
前記ＰｒｏｃＡｍｐ能力に関して要求された情報を含む応答を前記グラフィックス・デバイス・ドライバから前記ビデオ・レンダラーに送信する動作と
を備える動作を引き起こす命令を備えることを特徴とする１つまたは複数の電子的にアクセス可能な媒体。
【請求項６０】  前記電子的に実行可能な命令の少なくとも一部は、オペレーティング・システムの少なくとも一部として構成されることを特徴とする請求項５９に記載の１つまたは複数の電子的にアクセス可能な媒体。
【請求項６１】  前記電子的に実行可能な命令の少なくとも一部は、グラフィックス・デバイス・ドライバの少なくとも一部を含むことを特徴とする請求項５９に記載の１つまたは複数の電子的にアクセス可能な媒体。
【請求項６２】  前記照会は表示されるべきビデオについての記述を含み、
前記電子的に実行可能な命令は、実行されると、
表示されるべき前記ビデオの前記記述に基づく前記応答に対して、ＰｒｏｃＡｍｐ能力に関して要求された情報を決定する動作を備えるさらなる動作を引き起こすことを特徴とする請求項５９に記載の１つまたは複数の電子的にアクセス可能な媒体。
【請求項６３】  前記ＰｒｏｃＡｍｐ能力に関する情報はＰｒｏｃＡｍｐ制御特性能力に向けられ、前記ＰｒｏｃＡｍｐ能力に関して要求された情報は、なし、明度、コントラスト、色相、彩度、を備えるグループから選択された１つまたは複数の使用可能なＰｒｏｃＡｍｐ制御特性を含むことを特徴とする請求項５９に記載の１つまたは複数の電子的にアクセス可能な媒体。
【請求項６４】  前記ＰｒｏｃＡｍｐ能力に関する情報はＰｒｏｃＡｍｐ調整と同時に実行することのできるビデオ処理動作に向けられ、前記ＰｒｏｃＡｍｐ能力に関して要求された情報は、場合によってはＰｒｏｃＡｍｐ調整と同時に実行することができる１つまたは複数のビデオ処理動作で、なし、ＹＵＶ−ＲＧＢ変換、水平伸張、垂直伸張、長方形画像サブ領域作成、アルファ・ブレンディング、を備えるグループから選択される１つまたは複数のビデオ処理動作を含むことを特徴とする請求項５９に記載の１つまたは複数の電子的にアクセス可能な媒体。
【請求項６５】  前記照会は選択されたＰｒｏｃＡｍｐ制御特性を含み、前記ＰｒｏｃＡｍｐ能力に関する情報は、前記選択されたＰｒｏｃＡｍｐ制御特性に対する値に方向づけられ、前記ＰｒｏｃＡｍｐ能力に関して要求された情報は、前記選択されたＰｒｏｃＡｍｐ制御特性に関し、また範囲、最大、最小、ステップサイズ／増分、およびデフォルト時から構成されるグループから選択される１つまたは複数の値を備えることを特徴とする請求項５９に記載の１つまたは複数の電子的にアクセス可能な媒体。
【請求項６６】  電子的に実行可能な命令であって、当該命令が実行されると、
前記ビデオ・レンダラーからの、ＰｒｏｃＡｍｐストリーム・オブジェクトを開く、コマンドを前記グラフィックス・デバイス・ドライバで受信することと、
前記ＰｒｏｃＡｍｐストリーム・オブジェクトを開くことと、
前記開かれたＰｒｏｃＡｍｐストリーム・オブジェクトを指すハンドルを有する別の応答を前記グラフィックス・デバイス・ドライバから前記ビデオ・レンダラーに送信する動作と
を備えるさらなる動作を引き起こす命令を備えることを特徴とする請求項５９に記載の１つまたは複数の電子的にアクセス可能な媒体。
【請求項６７】  電子的に実行可能な命令であって、当該命令が実行されると、
前記ビデオ・レンダラーからの、ＰｒｏｃＡｍｐ調整を実行する、コマンドを前記グラフィックス・デバイス・ドライバで受信する動作と、
前記ＰｒｏｃＡｍｐ調整を実行させる動作と
を備えるさらなる動作を引き起こす命令を備えることを特徴とする請求項５９に記載の１つまたは複数の電子的にアクセス可能な媒体。
【請求項６８】  前記コマンドは前記ＰｒｏｃＡｍｐｃ調整と並行してビデオ処理動作を実行することを指示する命令を含み、前記ＰｒｏｃＡｍｐ調整を実行させる前記動作は、前記ＰｒｏｃＡｍｐ調整と前記ビデオ処理動作を並行して実行させる動作を備えることを特徴とする請求項６７に記載の１つまたは複数の電子的にアクセス可能な媒体。
【請求項６９】  ビデオ・レンダラーとグラフィックス・デバイス・ドライバの間の相互作用を促進する構成（arrangement）であって、
前記グラフィックス・デバイス・ドライバが提供することのできるプロセス増幅器（ＰｒｏｃＡｍｐ）能力に関して前記グラフィックス・デバイス・ドライバに対して情報を要求する照会を、グラフィックス・デバイス・ドライバに対して発行する発行手段と、
当該グラフィックス・デバイス・ドライバが提供することのできるＰｒｏｃＡｍｐ能力を含む応答を前記グラフィックス・デバイス・ドライバから受信するレシーバ手段と
を備えることを特徴とする構成。
【請求項７０】  前記構成は、電子的に実行可能な命令を有する１つまたは複数の電子的にアクセス可能な媒体を備えることを特徴とする請求項６９に記載の構成。
【請求項７１】  前記電子的に実行可能な命令は、ビデオ・レンダラーの少なくとも一部を含むことを特徴とする請求項７０に記載の構成。
【請求項７２】  前記構成は、少なくとも１つの電子デバイスを備えることを特徴とする請求項６９に記載の構成。
【請求項７３】  ビデオ・レンダラーとグラフィックス・デバイス・ドライバの間の相互作用を促進する構成において、
ビデオ・レンダラーからの、表示されるべきビデオに対して提供することのできるプロセス増幅器（ＰｒｏｃＡｍｐ）能力に関する情報を要求している、照会を受信するレシーバ手段と、
表示されるべき前記ビデオに対して提供することのできる前記ＰｒｏｃＡｍｐ能力に関して要求された情報を含む応答を、前記ビデオ・レンダラーに送信する送信手段と
を備えることを特徴とする構成。
【請求項７４】  前記構成は、電子的に実行可能な命令を有する１つまたは複数の電子的にアクセス可能な媒体を備えることを特徴とする請求項７３に記載の構成。
【請求項７５】  前記電子的に実行可能な命令は、グラフィックス・デバイス・ドライバの少なくとも一部を含み、前記ＰｒｏｃＡｍｐ能力が前記グラフィックス・デバイス・ドライバによって間接的に前記ビデオに提供されることを特徴とする請求項７４に記載の構成。
【請求項７６】  前記構成は少なくとも１つの電子デバイスを備えることを特徴とする請求項７３に記載の構成。
【請求項７７】  ビデオ・レンダラーとグラフィックス・デバイス・ドライバの間の相互作用を促進するシステムであって、
表示されるべきビデオに適用することのできるプロセス増幅器（ＰｒｏｃＡｍｐ）能力に関する情報を要求する照会を準備するように構成されたビデオ・レンダリング論理と、
表示されるべきビデオにどのようなＰｒｏｃＡｍｐ能力を適用することができるかを示す応答を準備するように構成されたグラフィックス・デバイス・ドライビング論理と
を備えることを特徴とするシステム。
【請求項７８】  前記ビデオ・レンダリング論理と前記グラフィックス・デバイス・ドライビング論理の間で前記照会と前記応答の伝送を促進するように構成されたインターフェース論理をさらに備えることを特徴とする請求項７７に記載のシステム。
【請求項７９】  前記グラフィックス・デバイス・ドライバから前記ビデオ・レンダラーに伝送するための１つまたは複数のフォーマットを含むプロトコルを使用してビデオ・レンダラーと通信するように構成されたグラフィックス・デバイス・ドライバと、前記１つまたは複数のフォーマットは、前記グラフィックス・デバイス・ドライバを介して前記ビデオ・レンダラーに使用可能とされるＰｒｏｃＡｍｐ制御特性が取り込まれた少なくとも１つのフィールドと、前記グラフィックス・デバイス・ドライバがＰｒｏｃＡｍｐ調整動作と同時に実行させることのできるビデオ処理動作が取り込まれた少なくとも１つのフィールドとを備えることを特徴とするグラフィックス・デバイス・ドライバ。
【請求項８０】  前記ビデオ・レンダラーから前記グラフィックス・デバイス・ドライバに伝送するための、教唆アプリケーションに連動して前記ビデオ・レンダラーが表示するビデオの記述が取り込まれた少なくとも１つのフィールドと、選択されたＰｒｏｃＡｍｐ制御特性を操作するための値に関して前記グラフィックス・デバイス・ドライバに要求を示す前記選択されたＰｒｏｃＡｍｐ制御特性が取り込まれた少なくとも１つのフィールドとを含む１つまたは複数のフォーマットを含むプロトコルを使用して、グラフィックス・デバイス・ドライバと通信するように構成されたことを特徴とするビデオ・レンダラー。
【請求項８１】  ビデオ・レンダラーに対する電子的に実行可能な命令を備える、１つまたは複数の電子的にアクセス可能な媒体であって、前記命令が実行されると、
前記グラフィックス・デバイス・ドライバを介して提供可能なプロセス増幅器（ＰｒｏｃＡｍｐ）能力に関する情報を要求する照会をビデオ・レンダラーからグラフィックス・デバイス・ドライバに送信する動作と、
前記グラフィックス・デバイス・ドライバからの、前記ビデオ・レンダラーに使用可能な、少なくとも１つのＰｒｏｃＡｍｐ制御特性を前記ビデオ・レンダラーで受信する動作と、
前記グラフィックス・デバイス・ドライバからの、ＰｒｏｃＡｍｐ調整動作と同時に前記グラフィックス・デバイス・ドライバが実行させることのできる、少なくとも１つのビデオ処理動作を前記ビデオ・レンダラーで受信する動作と
を備える動作を引き起こす命令を備えることを特徴とする１つまたは複数の電子的にアクセス可能な媒体。
【請求項８２】  電子的に実行可能な命令であって、当該命令が実行されると、
前記ビデオ・レンダラーに使用可能な前記少なくとも１つのＰｒｏｃＡｍｐ制御特性を操作するための１つまたは複数の値に関する情報を要求する別の問い合わせを前記ビデオ・レンダラーから前記グラフィックス・デバイス・ドライバに送信する動作と、
前記グラフィックス・デバイス・ドライバからの、前記ビデオ・レンダラーに使用可能な前記少なくとも１つのＰｒｏｃＡｍｐ制御特性を操作するための、少なくとも１つの値を前記ビデオ・レンダラーで受信する動作と
を備えるさらなる動作を引き起こす命令を備えることを特徴とする請求項８１に記載の１つまたは複数の電子的にアクセス可能な媒体。
【請求項８３】  電子的に実行可能な命令であって、当該命令が実行されると、
前記ビデオ・レンダラーに使用可能な前記少なくとも１つのＰｒｏｃＡｍｐ制御特性を操作するための前記少なくとも１つの値に従ってＰｒｏｃＡｍｐ調整動作を実行させるよう前記グラフィックス・デバイス・ドライバに命令するコマンドを前記ビデオ・レンダラーから前記グラフィックス・デバイス・ドライバに送信する動作
を備えるさらなる動作を引き起こす電子的に実行可能な命令を備えることを特徴とする請求項８２に記載の１つまたは複数の電子的にアクセス可能な媒体。
【請求項８４】  前記コマンドは、前記グラフィックス・デバイス・ドライバがＰｒｏｃＡｍｐ調整動作と同時に実行させることのできる前記少なくとも１つのビデオ処理動作に従って、別のビデオ処理動作と同時に前記ＰｒｏｃＡｍｐ調整動作を実行させるよう前記グラフィックス・デバイス・ドライバにさらに命令することを特徴とする請求項８３に記載の１つまたは複数の電子的にアクセス可能な媒体。